(57)【要約】      （修正有）【課題】幼児のいたずらによる火災事故を防止すると共に、風の強い場所でも容易に使用することができる、ＣＲ機能付き電熱式ライターを提供する。【解決手段】タバコを着火させるためのヒーター５を内蔵した電熱部４と、該電熱部に電力を供給するためのバッテリー３と、前記電熱部とバッテリーとの間に介在して電力の供給制御を行うためのスイッチ部６にて構成し、さらに前記スイッチ部には操作の停止又は解除を行うためのロック機構８を具備したものとする。【選択図】図２
0003161999.tif 000002
【実用新案登録請求の範囲】
【請求項１】
タバコを着火させるためのヒーターを内蔵した電熱部と、該電熱部に電力を供給するためのバッテリーと、前記電熱部とバッテリーとの間に介在して電力の供給制御を行うためのスイッチ部にて構成し、さらに前記スイッチ部には操作の停止又は解除を行うためのロック機構を具備したことを特徴とする、ＣＲ機能付き電熱式ライター。
【考案の詳細な説明】
【技術分野】
【０００１】  本考案は、タバコ用ライターに関し、特に幼児のいたずらによる火災事故を防止すると共に、風の強い場所でも容易に使用することができる、ＣＲ機能付き電熱式ライターに関するものである。
【背景技術】
【０００２】  従来、愛煙家がタバコを吸う際の着火手段として、マッチやライターを使用している。該ライターには色々なタイプのものがあるが、いわゆる使い捨てタイプの１００円ライターが広く使用されている。該ライターにはフリント式（発火石をヤスリ状のドラムを回転させて火花を出し、ガスに点火するもの）や電子式（圧電素子に衝撃を与えて火花を出し、ガスに点火するもの）があり、フリント式ではドラムを回転させながら操作レバーを押し下げ、電子式では単に操作レバーを押し下げたりスライドさせるだけで簡単に着火させることができる。
【考案の開示】
【考案が解決しようとする課題】
【０００３】  しかしながら、上記使い捨てタイプの１００円ライターは使用方法がきわめて簡単であり、子供や幼児でも容易に使用することができる。また、視覚的にもカラフルであるため、好奇心による火遊びにより火災事故が毎年多数発生し、社会問題となっている。このような実状のもと、ＣＲ（Ｃｈｉｌｄ  Ｒｅｓｉｓｔａｎｃｅ）機能を付加することにより、幼児が簡単に使用できないようにするための法規制が検討され始めている。【０００４】  また、タバコに火をつけるための器具として、火炎を出すライターが最適かどうかという問題もある。例えば、風の強い場所でタバコを吸おうとした場合、ライターのほのおが風で吹き消され、着火にてこずることは多くの愛煙家が経験していることである。【０００５】  本考案は、上述した問題点を解決するために成されたものであり、幼児のいたずらによる火災事故を防止すると共に、風の強い場所でも容易に使用することができる、ＣＲ機能付き電熱式ライターを提供することを目的とする。
【課題を解決するための手段】
【０００６】  上記課題を解決するため、本考案のＣＲ機能付き電熱式ライターは、タバコを着火させるためのヒーターを内蔵した電熱部と、該電熱部に電力を供給するためのバッテリーと、前記電熱部とバッテリーとの間に介在して電力の供給制御を行うためのスイッチ部にて構成し、さらに前記スイッチ部には操作の停止又は解除を行うためのロック機構を具備したものとする。
【考案の効果】
【０００７】  本考案のＣＲ機能付き電熱式ライターによれば、タバコを着火させるための熱源としてヒーターを内蔵した電熱部を使用し、さらに該電熱部に電力を供給するためのスイッチ部にロック機構を具備したため、幼児のいたずらを防止することができると共に、火災事故を無くすことが可能になるという効果を奏する。また、タバコを直接電熱部内のヒーターに当てて使用するため、熱源のロスが発生せずに風の強い場所でも容易に使用することができるという効果を奏する。
【考案を実施するための最良の形態】
【０００８】  本考案を実施するための最良の形態を図を用いて説明する。【０００９】  図１は、本考案のＣＲ機能付き電熱式ライターの第一実施例の外形図であり、（ａ）は正面図、（ｂ）は左側面図、（ｃ）は平面図である。該図に示すように、本考案の第一実施例によるＣＲ機能付き電熱式ライター１は、タバコを着火させるための電熱部４と、該電熱部４に電力を供給するためのバッテリー３と、前記電熱部４とバッテリー３との間に介在して電力の供給制御を行うためのスイッチ部６をケース２に収納して構成し、さらに前記スイッチ部６には操作の停止又は解除を行うためのロック機構を具備する。該図においては、前記電熱部４を側面上部に配設し、スイッチ部６を操作するためのスイッチノブ７を上面部に配設した。【００１０】  上記電熱部４内の発熱部材として、自動車のシガレットライターと同様のニクロム線を渦状に巻いたヒーター５を示している。また、スイッチ部６の機構として、スイッチノブ７をａ方向に押した状態でｂ方向にスライドすることでスイッチが入る構造を示している。【００１１】  図２は、本考案のＣＲ機能付き電熱式ライターの第二実施例の外形図であり、（ａ）は正面図、（ｂ）は右側面図、（ｃ）は平面図である。該図に示すように、本考案の第二実施例によるＣＲ機能付き電熱式ライター１は、タバコを着火させるための電熱部４と、該電熱部４に電力を供給するためのバッテリー３と、前記電熱部４とバッテリー３との間に介在して電力の供給制御を行うためのスイッチ部６をケース２に収納して構成し、さらに前記スイッチ部６には操作の停止又は解除を行うためのロック機構を具備する。該図においては、前記電熱部４を上面部に配設し、スイッチ部６を操作するためのスイッチノブ７を側面上部に配設した。【００１２】  上記電熱部４内の発熱部材として、自動車のシガレットライターと同様のニクロム線を渦状に巻いたヒーター５を示している。また、スイッチ部６の機構として、ロックレバー８をｃ方向にシフトしてロック解除した後、スイッチノブ７を押すことでスイッチが入る構造を示している。【００１３】  図３は本考案のＣＲ機能付き電熱式ライターの回路ブロック図であり、バッテリー３と電熱部４内のヒーター５とスイッチ部６とが直列接続されていることを示している。上記図１の第一実施例図と図２の第二実施例図においてバッテリー３は２本で示したが、近年のバッテリーは小型でも容量の大きなものがあるため、１本であっても構わない。【００１４】  また、上記図１の第一実施例図と図２の第二実施例図において電熱部４内のヒーター５にニクロム線を渦状に巻いたもので示しているが、他の巻き方や構造または別の発熱部材であっても構わない。さらには、スイッチ部６のロック機構は、上記実施例以外の他の方法であっても構わない。【００１５】  また、本考案のＣＲ機能付き電熱式ライター１を構成する電熱部４と、バッテリー３と、スイッチ部６との位置関係は、上記各実施例で示した位置に限定することなく、任意で構わない。【００１６】  上記のようにして構成したＣＲ機能付き電熱式ライター１は、使用時においてスイッチ部６のロック機構を解除しなければスイッチが入らなく、タバコを着火させるための熱源が電熱部４内のヒーター５であるため、幼児のいたずらを防止することができると共に、火災事故を無くすことが可能になる。また、タバコを直接電熱部４内のヒーター５に当てて使用するため、熱源のロスが発生せずに風の強い場所でも容易に使用することができることになる。
【図面の簡単な説明】
【００１７】
【図１】本考案のＣＲ機能付き電熱式ライターの第一実施例の外形図である。
【図２】本考案のＣＲ機能付き電熱式ライターの第二実施例の外形図である。
【図３】本考案のＣＲ機能付き電熱式ライターの回路ブロック図である。
【符号の説明】
【００１８】１  ＣＲ機能付き電熱式ライター
２  ケース
３  バッテリー
４  電熱部
５  ヒーター
６  スイッチ部
７  スイッチノブ
８  ロックレバー
【図１】
0003161999.tif 000003
【図２】
0003161999.tif 000004
【図３】
0003161999.tif 000005